(57)【要約】【課題】現場で専用端末を必要とせずに保守点検者が容易にエレベータの遠隔制御設定を解除できるエレベータ遠隔制御設解除システムを提供する。【解決手段】このシステムのエレベータ監視装置３１では、記録手段３２、３７が遠隔制御設定装置５２によるエレベータの遠隔制御設定、その解除を電話回線５３及び通信手段６０経由で受信して記録し、登録手段３３〜３３Ｎが記録手段３２の遠隔制御設定の登録を受信してエレベータ制御装置１１〜１１Ｎへ設定し、検出手段３５〜３５Ｎが通信線７〜７Ｎからインターホン親機２１における乗りかご２〜２Ｎ内のインターホン子機６〜６Ｎへの子機呼びを子機呼び釦２３〜２３Ｎの押下操作検出信号に基づいて検出し、解除手段３４〜３４Ｎが検出結果で子機呼びを一定時間内で所定回数行った場合を示すときに登録された遠隔制御設定の解除を制御装置１１〜１１Ｎへ設定し、記録手段３７が遠隔制御設定の解除を記録する。【選択図】図１
2014114155.tif 000002
【特許請求の範囲】
【請求項１】
エレベータの乗りかご内に設置された外部通報手段であるインターホン子機と、前記インターホン子機と通話を行うインターホン親機と、前記インターホン親機から前記インターホン子機への子機呼びを検出可能なエレベータ監視装置と、前記エレベータ監視装置の通報先となる監視センタと、前記エレベータ監視装置に対してエレベータの遠隔制御設定の登録並びに解除を行う遠隔制御設定装置と、を備えたエレベータ遠隔制御設定解除システムであって、
前記遠隔制御設定装置は、電話回線を介して前記エレベータ監視装置に対して前記エレベータの遠隔制御設定を行うものであり、
前記エレベータ監視装置は、前記遠隔制御設定装置によるエレベータの遠隔制御設定を受けて登録する登録手段と、前記子機呼びを検出する検出手段と、前記検出手段で検出された結果が前記子機呼びを一定時間内で所定回数行った場合を示すときに前記登録手段により登録した前記遠隔制御設定装置による前記エレベータの遠隔制御設定を解除する解除手段と、を備えたことを特徴とするエレベータ遠隔制御設定解除システム。
【請求項２】
請求項１記載のエレベータ遠隔制御設定解除システムにおいて、前記登録手段は、前記解除手段により前記エレベータの遠隔制御設定が解除された状態で前記検出手段が前記子機呼びを一定時間内で所定回数行った場合を検出すると、解除した内容の前記遠隔制御設定装置による当該エレベータの遠隔制御設定を再登録することを特徴とするエレベータ遠隔制御設定解除システム。
【請求項３】
請求項１又は２記載のエレベータ遠隔制御設定解除システムにおいて、前記解除手段は、前記検出手段が前記子機呼びを一定時間内で所定回数行った場合を検出すると、前記登録手段で登録又は再登録して設定された前記エレベータの遠隔制御設定の項目を一括して解除することを特徴とするエレベータ遠隔制御設定解除システム。
【請求項４】
請求項２又は３記載のエレベータ遠隔制御設定解除システムにおいて、前記エレベータ監視装置は、前記解除手段により前記登録手段で登録した前記エレベータの遠隔制御設定を解除したとき、或いは前記登録手段により当該解除手段で一旦解除した当該エレベータの遠隔制御設定を再登録したときに前記監視センタへ当該解除又は当該再登録を示す旨の信号を送信することを特徴とするエレベータ遠隔制御設定解除システム。
【請求項５】
請求項４記載のエレベータ遠隔制御設定解除システムにおいて、前記エレベータ監視装置は、前記解除手段により前記登録手段で登録した前記エレベータの遠隔制御設定を解除したとき、或いは前記登録手段により当該解除手段で一旦解除した当該エレベータの遠隔制御設定を再登録したときに前記インターホン親機が備える音発声手段に対して当該解除又は当該再登録が行われた旨のメッセージ信号を出力する音声出力手段を備えたことを特徴とするエレベータ遠隔制御設定解除システム。
【発明の詳細な説明】
【技術分野】
【０００１】
本発明は、エレベータの遠隔制御設定を解除するためのエレベータ遠隔制御設定解除システムに関する。
【背景技術】
【０００２】
従来、エレベータの遠隔制御設定を解除するシステムに関連する周知技術としては、作業員がエレベータを休止させる際に、或る指定された認証コードを用いてエレベータと無線で通信することで、かご内操作盤の休止スイッチを使用することなくエレベータを休止させることを可能にした「エレベータの休止作業認証システム」（特許文献１参照）や、不停止階の解除操作者を遠隔的に認識し、真正な特定人だけを受け付けて不停止階を解除する「エレベータのかご不停止解除システム」（特許文献２参照）等が挙げられる。
【先行技術文献】
【特許文献】
【０００３】
【特許文献１】特開２００４−９９３０１号公報
【特許文献２】特開２００６−２５６８５０号公報
【発明の概要】
【発明が解決しようとする課題】
【０００４】
上述した特許文献１に係る技術は、作業員の保有する携帯電話により入力される休止作業の認証を行う休止作業認証コンピュータが携帯電話及び休止作業場所に対応するエレベータかごの制御盤に認証コードを与え、携帯電話から休止作業が行われるエレベータかごへブルートゥース機能を介して認証コードが送られ、制御盤が休止作業認証コンピュータから与えられた認証コードとエレベータかごから得られた認証コードとが一致した時にエレベータかごを休止モードにするものであり、特許文献２に係る技術は、遠隔解除操作端末で入力された個人識別機能を持つ認識データを暗号化して送信し、この暗号化された認識データを解除装置が受信して暗号解析処理後に暗号解析された認識データから真正な特定人であることを条件に不停止階の解除信号を送信し、制御盤が不停止階の解除信号に基づいて不停止階を解除して停止階に設定するものである。
【０００５】
しかしながら、特許文献１や特許文献２に係る技術では、携帯電話や遠隔解除操作端末を使用してエレベータの遠隔制御設定の解除を行うものであるため、保守点検者（解除作業員や管理専門技術者を示す）がこれらの携帯電話や遠隔解除操作端末を所持していなければ解除が不可能になってしまうという不便さの問題がある。また、特許文献１に係る技術の場合には、予め認識コードを登録する必要があってその分の手間が掛かる上、システム機能が複雑になってコスト高を招いてしまうという問題があり、特許文献２に係る技術の場合には、不特定多数の人が行き来すると考えられるエレベータホール（乗場）近辺に読み取り用の解除装置を設ける必要があるため、悪戯されると使用不能になってしまう危険性を回避できないという問題がある。
【０００６】
本発明は、このような問題点を解決すべくなされたもので、その技術的課題は、現場で携帯端末や遠隔解除操作端末の専用端末を必要とせずに保守点検者が容易にエレベータの遠隔制御設定を解除できるエレベータ遠隔制御設解除システムを提供することにある。
【課題を解決するための手段】
【０００７】
上記技術的課題を解決するため、本発明は、エレベータの乗りかご内に設置された外部通報手段であるインターホン子機と、インターホン子機と通話を行うインターホン親機と、インターホン親機からインターホン子機への子機呼びを検出可能なエレベータ監視装置と、エレベータ監視装置の通報先となる監視センタと、エレベータ監視装置に対してエレベータの遠隔制御設定の登録並びに解除を行う遠隔制御設定装置と、を備えたエレベータ遠隔制御設定解除システムであって、遠隔制御設定装置は、電話回線を介してエレベータ監視装置に対してエレベータの遠隔制御設定を行うものであり、エレベータ監視装置は、遠隔制御設定装置によるエレベータの遠隔制御設定を受けて登録する登録手段と、子機呼びを検出する検出手段と、検出手段で検出された結果が子機呼びを一定時間内で所定回数行った場合を示すときに登録手段により登録した遠隔制御設定装置によるエレベータの遠隔制御設定を解除する解除手段と、を備えたことを特徴とする。
【発明の効果】
【０００８】
本発明のエレベータ遠隔制御設定解除システムによれば、エレベータ監視装置の機能を工夫し、遠隔制御設定装置から電話回線を介してエレベータの遠隔制御設定を受け付けて登録する機能と、インターホン親機からのインターホン子機への子機呼びの検出結果が一定時間内で所定回数行った場合を示すときに登録したエレベータの遠隔制御設定を解除する機能と、を持たせているため、現場で携帯端末や遠隔解除操作端末の専用端末を必要とせずに保守点検者（解除作業員、管理専門技術者）が容易にエレベータの遠隔制御設定を解除することができるようになる。
【図面の簡単な説明】
【０００９】
【図１】本発明の実施例１に係るエレベータ遠隔制御設定解除システムの基本構成を示した概略ブロック図である。
【図２】図１に示すエレベータ遠隔制御設定解除システムに備えられる遠隔制御設定装置の表示部に表示されるエレベータ遠隔制御設定データ画面を例示した図である。
【図３】図１に示すエレベータ遠隔制御設定解除システムによる遠隔制御設定の解除に係る動作処理を示したフローチャートである。
【図４】図１に示すエレベータ遠隔制御設定解除システムによる遠隔制御設定の再登録に係る動作処理を示したフローチャートである。
【発明を実施するための形態】
【００１０】
以下に、本発明のエレベータ遠隔制御設定解除システムについて、実施例を挙げ、図面を参照して詳細に説明する。
【実施例１】
【００１１】
図１は、本発明の実施例１に係るエレベータ遠隔制御設定解除システムの基本構成を示した概略ブロック図である。このエレベータ遠隔制御設定解除システムは、建物に設備された昇降路１〜１Ｎ（但し、ここでのＮは以下も同様であるように複数存在することを示す）における多階床間で昇降運転するエレベータの乗りかご２〜２Ｎ内に設置された外部通報手段であるインターホン子機６〜６Ｎと、乗りかご２〜２Ｎの運転（昇降・停止を含む）を制御するエレベータ制御装置１１〜１１Ｎと、インターホン子機６〜６Ｎと通話を行う受話器２２を備えたインターホン親機２１と、インターホン親機２１からインターホン子機６〜６Ｎへの子機呼びを検出可能なエレベータ監視装置３１と、エレベータ監視装置３１の通報先となる監視センタ５１と、エレベータ監視装置３１に対してエレベータの遠隔制御設定の登録、その解除を行う遠隔制御設定装置５２と、を備えて構成される。
【００１２】
このうち、１台目のエレベータでは、昇降路１内において乗りかご２と釣り合い重り３とが主ロープ４を介して接続され、乗りかご２を昇降させるために主ロープ４を駆動する巻き上げ機５がエレベータ制御装置１１により回転制御されるようになっている。乗りかご２には、図示しない操作盤の外部呼び釦と外部との通話機能を備えたインターホン子機６が設置され、インターホン子機６はインターホン用通信線７を経由してインターホン親機２１とエレベータ監視装置３１とに接続されている。また、乗りかご２には、ドア制御装置８が備えられ、ドア制御装置８はドア制御用通信線９を経由してエレベータ制御装置１１により制御されるようになっている。
【００１３】
２台目以降を示すＮ台目のエレベータにおいても同様な構成であり、昇降路１Ｎ内において乗りかご２Ｎと釣り合い重り３Ｎとが主ロープ４Ｎを介して接続され、乗りかご２Ｎを昇降させるために主ロープ４Ｎを駆動する巻き上げ機５Ｎがエレベータ制御装置１１Ｎにより回転制御され、乗りかご２Ｎに備えられたドア制御装置８Ｎがドア制御用通信線９Ｎを経由してエレベータ制御装置１１Ｎにより制御されるようになっている。その他、乗りかご２Ｎに設置されたインターホン子機６Ｎがインターホン用通信線７Ｎを経由してインターホン親機２１とエレベータ監視装置３１とに接続されている点も同じである。
【００１４】
インターホン親機２１は、上述した受話器２２を備える他、乗りかご２〜２Ｎ内のインターホン子機６〜６Ｎを呼び出すための子機呼び選択釦２３〜２３Ｎを備えており、例えば受話器２２を持ち上げて子機呼び選択釦２３を押下すると１台目のインターホン子機６が呼び出され、同様に受話器２２を持ち上げて子機呼び選択釦２３Ｎを押下するとＮ台目のインターホン子機６Ｎが呼び出されるようになっている。監視センタ５１は、電話回線５３を経由してエレベータ監視装置３１からの監視信号を受信する。遠隔制御設定装置５２は、電話回線５３を経由して遠隔制御設定、その解除をエレベータ監視装置３１に対して行う。
【００１５】
エレベータ監視装置３１は、電話回線５３を経由して監視センタ５１及び遠隔制御設定装置５２との間で通信するための通信手段６０と、遠隔制御設定装置５２から電話回線５３及び通信手段６０を経由して送信されたエレベータの遠隔制御設定を記録する遠隔制御設定記録手段３２と、遠隔制御設定記録手段３２で記録されたエレベータの遠隔制御設定の登録内容のデータを後述する解除手段３４〜３４Ｎ及びエレベータ監視用通信線３６〜３６Ｎを経由して受信してエレベータ制御装置１１〜１１Ｎに対して設定する登録手段３３〜３３Ｎと、を備えている。
【００１６】
また、エレベータ監視装置３１は、１台目からＮ台目のエレベータに対応するインターホン用通信線７〜７Ｎからインターホン親機２１における乗りかご２〜２Ｎ内のインターホン子機６〜６Ｎへの子機呼びを子機呼び選択釦２３〜２３Ｎの押下操作検出信号に基づいて検出する検出手段３５〜３５Ｎと、検出手段３５〜３５Ｎでの検出結果が子機呼びを一定時間内で所定回数行った場合を示すときに登録手段３３〜３３Ｎにより登録された遠隔制御設定装置５２によるエレベータの遠隔制御設定の解除をそれぞれエレベータ監視用通信線３６〜３６Ｎを介してエレベータ制御装置１１〜１１Ｎに対して設定する解除手段３４〜３４Ｎと、遠隔制御設定装置５２から送信されたエレベータの遠隔制御設定の解除を電話回線５３及び通信手段６０経由で受信して記録すると共に、解除手段３４〜３４Ｎによるエレベータの遠隔制御設定の解除をエレベータ監視用通信線３６〜３６Ｎ及び登録手段３３〜３３Ｎを経由して解除設定として受信して記録する遠隔制御解除記録手段３７と、を備えている。
【００１７】
更に、エレベータ監視装置３１は、解除手段３４〜３４Ｎにより登録手段３３〜３３Ｎで登録したエレベータの遠隔制御設定を解除したとき、或いは登録手段３３〜３３Ｎにより解除手段３４〜３４Ｎで一旦解除したエレベータの遠隔制御設定を再登録したときにインターホン親機２１に備えられる略図する音発声手段（スピーカ）に対して音声出力用通信線４２を通して解除又は再登録が行われた旨のメッセージの音声信号を出力する音声出力手段３９と、を備えて構成される。因みに、ここでの音声出力手段３９は、解除の場合のメッセージの音声信号出力を受け持つ解除音声出力手段４０と、再登録の場合のメッセージの音声信号出力を受け持つ再登録音声出力手段４１と、を備えている。
【００１８】
このうち、登録手段３３〜３３Ｎは、解除手段３４〜３４Ｎによりエレベータの遠隔制御設定が解除された状態にあって、検出手段３５〜３５Ｎから子機呼びを一定時間内で所定回数行った場合の検出結果を解除手段３４〜３４Ｎ及びエレベータ監視用通信線３６〜３６Ｎを経由して受信すると、解除した内容の遠隔制御設定装置５２によるエレベータの遠隔制御設定の再登録をエレベータ監視用通信線３６〜３６Ｎを経由してエレベータ制御装置１１〜１１Ｎに対して設定することで再登録を行うことができる。また、解除手段３４〜３４Ｎは、検出手段３５〜３５Ｎから子機呼びを一定時間内で所定回数行った場合の検出結果を受信すると、登録手段３３〜３３Ｎで登録又は再登録されたエレベータの遠隔制御設定の項目の一括削除をエレベータ監視用通信線３６〜３６Ｎを経由してエレベータ制御装置１１〜１１Ｎに対して設定することで一括した解除を行うことができる。
【００１９】
そこで、エレベータ監視装置３１では、解除手段３４〜３４Ｎにより登録手段３３〜３３Ｎで登録したエレベータの遠隔制御設定を解除したときにはその旨をエレベータ監視用通信線３６〜３６Ｎ及び登録手段３３〜３３Ｎを経由して遠隔制御解除記録手段３７に記録し、登録手段３３〜３３Ｎにより解除手段３４〜３４Ｎで一旦解除したエレベータの遠隔制御設定を再登録したときにもその旨をエレベータ監視用通信線３６〜３６Ｎ及び解除手段３４〜３４Ｎを経由して遠隔制御設定記録手段３２に記録し、何れの場合にも音声出力用通信線４２を通して解除又は再登録が行われた旨のメッセージの音声信号をインターホン親機２１に出力して発声報知させると共に、通信手段６０及び電話回線５３を経由して監視センタ５１に対して同様な解除又は再登録を示す旨のメッセージ信号を送信して通報する。
【００２０】
これにより、エレベータ監視装置３１では、登録手段３３〜３３Ｎが解除手段３４〜３及びエレベータ監視用通信線３６〜３６Ｎを通して取得した遠隔制御設定記録手段３２の内容により１台目からＮ台目のエレベータの遠隔制御設定の登録をエレベータ監視用通信線３６〜３６Ｎを経由してエレベータ制御装置１１〜１１Ｎに対して設定すると共に、解除手段３４〜３４Ｎが登録手段３３〜３３Ｎ及びエレベータ監視用通信線３６〜３６Ｎを経由して取得した遠隔制御解除記録手段３７の内容により１台目からＮ台目のエレベータの遠隔制御設定の解除をエレベータ監視用通信線３６〜３６Ｎを経由してエレベータ制御装置１１〜１１Ｎに対して設定する基本動作の機能が持たされている。
【００２１】
図２は、遠隔制御設定装置５２の表示部に表示されるエレベータ遠隔制御設定データ画面を例示した図である。図２を参照すれば、エレベータ遠隔制御設定データ画面では、縦軸にエレベータの遠隔制御設定を行うエレベータの一覧、横軸には設定項目を配置していると共に、最下段には登録を行うか解除を行うかの選択指示欄を配置している。ビル名称の項目は具体的なビルの名称が記載され、エレベータの制御設定項目には、不停止階設定、休止運転、冠水退避運転等が記載されている。１台目のエレベータには選択欄と時間帯とが区分けされており、それぞれの制御設定項目に対する具体的なデータが記載され、Ｎ台目のエレベータについても同様に選択欄と時間帯とが区分けされており、それぞれの制御設定項目に対する具体的なデータが記載されている。
【００２２】
遠隔制御設定装置５２では、このようなレイアウトのエレベータ遠隔制御設定データ画面において、最初に遠隔制御設定を実施したいビルを最上段で選択指定した後、例えば１台目のエレベータに不停止階を設定したい場合には、１台目の横軸と不停止階設定の縦軸とが交差する箇所の選択欄で不停止を行いたい階にチェックマークを付加し、選択欄の下段にある時間帯に実施時刻と終了時刻とを入力する。時間帯については、年月日を登録する他、複数の時間帯を登録することも可能である。他のエレベータ、或いは他の項目についても登録する手法は同じである。また、同一のエレベータに対して他の制御設定を追加して登録することも可能である。
【００２３】
このような登録内容を設定した後、最下段にある登録をクリックすると、遠隔制御設定装置５２は指定されたビルのエレベータに対して電話回線５３を経由してエレベータ監視装置３１内に設けた遠隔制御設定記録手段３２に対して登録内容のデータを記録する。また、最下段にある解除をクリックすると、電話回線５３を経由してエレベータ監視装置３１内に設けた遠隔制御解除記録手段３７に解除内容のデータを記録し、遠隔制御設定記録手段３２に記録された登録内容のデータを全て解除する。尚、ここでの登録や解除については、各エレベータ別に実行することが可能である。
【００２４】
図３は、実施例１に係るエレベータ遠隔制御設定解除システムによる遠隔制御設定の解除に係る動作処理を示したフローチャートである。この遠隔制御設定の解除に係る動作処理では、まずエレベータ監視装置３１において、遠隔制御設定記録手段３２が電話回線５３及び通信手段６０を介して遠隔制御設定装置５２より指定されたビルのエレベータについて、エレベータの遠隔制御設定が有るか否かの判定（ステップ１０１）を行う。この判定の結果、遠隔制御設定が有れば、そのエレベータの遠隔制御設定のデータを遠隔制御設定記録手段３２が記録することで遠隔制御設定メモリに記録（ステップ１０２）する処理を行った後、登録手段３３〜３３Ｎが解除手段３４〜３４Ｎ及びエレベータ監視用通信線３６〜３６Ｎを経由して取得した遠隔制御設定記録手段３２に記録された内容に従ってエレベータの遠隔制御設定の指令をエレベータ監視用通信線３６〜３６Ｎを経由して該当するエレベータ制御装置１１〜１１Ｎに設定（ステップ１０２−１）してから最初のエレベータの遠隔制御設定が有るか否かの判定（ステップ１０１）の前に戻ってその後の処理を繰り返す。これにより、該当するエレベータのエレベータ制御装置１１〜１１Ｎは、設定された遠隔制御を指定時刻に開始してから指定時刻に終了する。
【００２５】
また、上述したエレベータの遠隔制御設定が有るか否かの判定（ステップ１０１）の結果、遠隔制御設定が無ければ、引き続いて遠隔制御解除記録手段３７が電話回線５３及び通信手段６０を介して遠隔制御設定装置５２より指定されたビルのエレベータについて、エレベータの遠隔制御設定の解除を示す解除設定が有るか否かの判定（ステップ１０３）を行う。この判定の結果、解除設定が有れば、そのエレベータの遠隔制御設定解除のデータを遠隔制御解除記録手段３７が記録することで遠隔制御解除メモリに記録（ステップ１０４）する処理を行った後、解除手段３４〜３４Ｎが登録手段３３〜３３Ｎ及びエレベータ監視用通信線３６〜３６Ｎを経由して取得した遠隔制御解除記録手段３７に記録された内容に従ってエレベータの遠隔制御設定の解除指令をエレベータ監視用通信線３６〜３６Ｎを経由して該当するエレベータ制御装置１１〜１１Ｎに設定（ステップ１１２）してから最初のエレベータの遠隔制御設定が有るか否かの判定（ステップ１０１）の前に戻ってその後の処理を繰り返す。これにより、該当するエレベータのエレベータ制御装置１１〜１１Ｎは、指定時刻に遠隔制御設定の解除を実行する。
【００２６】
更に、上述した遠隔制御設定装置５２より解除設定が有るか否かの判定（ステップ１０３）の結果、解除設定が無ければ、検出手段３５〜３５Ｎがインターホン用通信線７〜７Ｎから得られるインターホン親機２１における子機呼び選択釦２３〜２３Ｎが押下状態を示す押下操作検出信号に基づいて、インターホン子機６〜６Ｎの子機呼び選択釦２３〜２３Ｎが押されたか否かの判定（ステップ１０５）を行う。この判定の結果、子機呼び選択釦２３〜２３Ｎが押されていなければ、最初のエレベータの遠隔制御設定が有るか否かの判定（ステップ１０１）の前に戻ってその後の処理を繰り返すが、子機呼び選択釦２３〜２３Ｎが押されていれば、引き続いて検出手段３５〜３５Ｎがインターホン子機６〜６Ｎの子機呼び選択釦２３〜２３Ｎの解析（ステップ１０６）を行う。
【００２７】
上述したインターホン子機６〜６Ｎの子機呼び選択釦２３〜２３Ｎの解析（ステップ１０６）では、検出手段３５〜３５Ｎがインターホン親機２１における子機呼び選択釦２３〜２３Ｎに係る押下操作検出信号に基づいて操作内容を解析するもので、具体的には子機呼びを一定時間内で所定回数行った場合のパターンを解析する。ここでは例えば押下操作検出信号が５秒間に２回押下操作した場合と、１０秒間に１回押下操作した場合と、５秒間に３回押下操作した場合との有無について、解析結果の判断を行うものとする。そこで、検出手段３５〜３５Ｎは、押下操作検出信号の検出結果に基づいて最初に５秒間で２回押下操作されたか否かの判定（ステップ１０６−１）を行い、その操作がなされてなければ、引き続いて１０秒間で１回押下操作されたか否かの判定（ステップ１０６−２）を行い、更にその操作がなされてなければ、引き続いて５秒間で３回押下操作されたか否かの判定（ステップ１０６−３）を行うようにする。
【００２８】
具体的に云えば、最初の５秒間で２回押下操作されたか否かの判定（ステップ１０６−１）の結果、５秒間で２回押下操作されていれば、引き続いて１台目のエレベータか否かの判定（ステップ１０７）を行う。この判定の結果、１台目のエレベータであれば、遠隔制御設定記録手段３２を確認して遠隔制御設定が設定済みか否かの判定（ステップ１０８）を行う。この判定の結果、遠隔制御設定が設定済みでなければ、最初のエレベータの遠隔制御設定が有るか否かの判定（ステップ１０１）の前に戻ってその後の処理を繰り返すが、遠隔制御設定が設定済みであれば、１台目のエレベータの遠隔制御設定を解除し、その旨（１台目のエレベータの遠隔制御解除）を遠隔制御解除記録手段３７に記録（ステップ１０９）する処理を行った後、１台目のエレベータの遠隔制御設定解除の旨のメッセージの音声信号をインターホン親機２１に出力してその音発声手段（スピーカ）から発声させることで、遠隔制御設定解除をインターホン親機２１に発声（ステップ１１０）させる処理を行ってから、同様なメッセージ信号を通信手段６０及び電話回線５３を経由して監視センタ５１に送信することで、１台目のエレベータの遠隔制御設定解除を監視センタ５１に通報（ステップ１１１）させる処理を行う。この後は、上述した該当するエレベータ制御装置１１〜１１Ｎ（ここではエレベータ制御装置１１が該当する）に遠隔制御解除設定（ステップ１１２）する処理へ移行する。
【００２９】
また、先の１台目のエレベータか否かの判定（ステップ１０７）の結果、１台目のエレベータでなければ、引き続いてＮ台目のエレベータか否かの判定（ステップ１０７）を行う。この判定の結果、Ｎ台目のエレベータでなければ、最初のエレベータの遠隔制御設定が有るか否かの判定（ステップ１０１）の前に戻ってその後の処理を繰り返すが、Ｎ台目のエレベータであれば、遠隔制御設定記録手段３２を確認して遠隔制御設定が設定済みか否かの判定（ステップ１２１）を行う。この判定の結果、遠隔制御設定が設定済みでなければ、最初のエレベータの遠隔制御設定が有るか否かの判定（ステップ１０１）の前に戻ってその後の処理を繰り返すが、遠隔制御設定が設定済みであれば、Ｎ台目のエレベータの遠隔制御設定を解除し、その旨（Ｎ台目のエレベータの遠隔制御解除）を遠隔制御解除記録手段３７に記録（ステップ１２３）する処理を行った後、先の遠隔制御設定解除をインターホン親機２１に発声（ステップ１１０）させる処理（ここではＮ台目のエレベータに該当する）に移行する。
【００３０】
更に、先の５秒間で２回押下操作されたか否かの判定（ステップ１０６−１）の結果、５秒間で２回押下操作がなされていない場合に継続される１０秒間で１回押下操作されたか否かの判定（ステップ１０６−２）の結果、１０秒間で１回押下操作されていれば、エレベータ全台の遠隔制御設定を一括解除し、遠隔制御解除記録手段３７にその一括解除の旨を記録することで、エレベータ全台の遠隔制御解除を遠隔制御解除メモリに記録（ステップ１１３）する処理を行った後、先の遠隔制御設定解除をインターホン親機２１に発声（ステップ１１０）させる処理（この場合には全エレベータに該当する）に移行する。
【００３１】
加えて、１０秒間で１回押下操作されたか否かの判定（ステップ１０６−２）の結果、１０秒間で１回押下操作されていない場合に継続される５秒間で３回押下操作されたか否かの判定（ステップ１０６−３）の結果、５秒間で３回押下操作されていなければ、最初のエレベータの遠隔制御設定が有るか否かの判定（ステップ１０１）の前に戻ってその後の処理を繰り返すが、５秒間で３回押下操作されていれば、後述する手順２００から再登録（ステップ１１４）に至る処理を行ってから最初のエレベータの遠隔制御設定が有るか否かの判定（ステップ１０１）の前に戻ってその後の処理を繰り返す。因みに、図３中の遠隔制御設定解除をインターホン親機２１に発声（ステップ１１０）させる処理では、音声出力手段３９の解除音声出力手段４０により該当するエレベータの遠隔制御設定解除を示す旨のメッセージの音声信号として、例えば１台目やＮ台目のエレベータの遠隔制御設定解除を示す旨のメッセージ、或いは全エレベータについての遠隔制御設定一括解除を示す旨のメッセージをインターホン親機２１のスピーカから発声させる。
【００３２】
図４は、実施例１に係るエレベータ遠隔制御設定解除システムによる遠隔制御設定の再登録に係る動作処理を示したフローチャートである。この遠隔制御設定の再登録に係る動作処理は、図３の遠隔制御設定の解除に係る動作処理中の手順２００から再登録（ステップ１１４）に至る過程の処理内容を示すものであり、ここではまず５秒間で３回操作されたのが１台目のエレベータか否かの判定（ステップ２０１）を行う。この判定の結果、１台目のエレベータであれば、遠隔制御設定記録手段３２を確認して遠隔制御設定が設定済みか否かの判定（ステップ２０２）を行う。この判定の結果、遠隔制御設定が設定済みであれば、再登録（ステップ１１４）を行うが、遠隔制御設定が設定済みでなければ、引き続いて遠隔制御解除記録手段３７の解除記録内容のデータからインターホン親機２１による遠隔制御設定の解除記録があるか否かの判定（ステップ２０３）を行う。この判定の結果、遠隔制御設定の解除記録が無ければ、遠隔制御設定が未設定であるか、或いは遠隔制御設定装置５２により遠隔制御設定が解除されたものとみなして再登録（ステップ１１４）を行うが、遠隔制御設定の解除記録があれば、インターホン親機２１により遠隔制御設定を解除したものとみなして１台目のエレベータの遠隔制御再設定を遠隔制御設定記録手段３２に記録（ステップ２０４）する処理を行った後、１台目のエレベータの遠隔制御再設定の旨のメッセージの音声信号をインターホン親機２１に出力してその音発声手段から発声させることで、遠隔制御再設定をインターホン親機２１に発声（ステップ２０５）させる処理を行ってから、同様なメッセージ信号を通信手段６０及び電話回線５３を経由して監視センタ５１に送信することで、１台目のエレベータの遠隔制御再設定を監視センタ５１に通報（ステップ２０６）させる処理を行う。この後は、上述した該当するエレベータ制御装置１１〜１１Ｎ（ここではエレベータ制御装置１１が該当する）に遠隔制御設定（ステップ２０７）する処理へ移行することにより、再登録（ステップ１１４）の処理が行われる。
【００３３】
また、５秒間で３回操作されたのが１台目のエレベータか否かの判定（ステップ２０１）の結果、１台目のエレベータでなければ、引き続いてＮ台目のエレベータか否かの判定（ステップ２１０）を行う。この判定の結果、Ｎ台目のエレベータでなければ、再登録（ステップ１１４）を行うが、Ｎ台目のエレベータであれば、引き続いて遠隔制御設定記録手段３２を確認して遠隔制御設定が設定済みか否かの判定（ステップ２１１）を行う。この判定の結果、遠隔制御設定が設定済みであれば、再登録（ステップ１１４）を行うが、遠隔制御設定が設定済みでなければ、引き続いて遠隔制御解除記録手段３７からインターホン親機２１による遠隔制御設定の解除記録があるか否かの判定（ステップ２１２）を行う。この判定の結果、遠隔制御設定の解除記録が無ければ、遠隔制御設定が未設定であるか、或いは遠隔制御設定装置５２により遠隔制御設定が解除されたものとみなして再登録（ステップ１１４）を行うが、遠隔制御設定の解除記録があれば、インターホン親機２１により遠隔制御設定を解除したものとみなしてＮ台目のエレベータの遠隔制御再設定を遠隔制御設定記録手段３２に記録（ステップ２１３）する処理を行った後、Ｎ台目のエレベータの遠隔制御再設定をインターホン親機２１に発声（ステップ２０５）させる処理に移行する。因みに、図４中の遠隔制御再設定をインターホン親機２１に発声（ステップ２０５）させる処理では、音声出力手段３９の再登録音声出力手段４１により該当するエレベータの遠隔制御再設定を示す旨のメッセージの音声信号として、例えば１台目やＮ台目のエレベータの遠隔制御再設定を示す旨のメッセージをインターホン親機２１のスピーカから発声させる。
【００３４】
以上に説明した実施例１に係るエレベータ遠隔制御設定解除システムでは、エレベータ監視装置３１の機能を工夫し、遠隔制御設定装置５２から電話回線５３を介してエレベータの遠隔制御設定を受け付けて登録する機能と、インターホン親機２１からのインターホン子機６〜６Ｎへの子機呼びの検出結果が一定時間内で所定回数行った場合を示すときに登録したエレベータの遠隔制御設定を解除する機能と、を持つことを基本としているため、電話回線５３を使用してエレベータの休止（パーキング）設定や不停止階設定等の遠隔制御設定を行っているエレベータに対して、現場で携帯端末や遠隔解除操作端末の専用端末を別途準備することなく、エレベータの保守点検時や回線不通時に遠隔以外の手法で保守点検者（解除作業員、管理専門技術者）が容易にエレベータの遠隔制御設定の解除を行うことができる。
【００３５】
また、エレベータ監視装置３１の機能として、エレベータの遠隔制御設定が解除された状態で子機呼びを一定時間内で所定回数行った場合に解除した内容の遠隔制御設定装置５２によるエレベータの遠隔制御設定を再登録する機能を持つため、上記遠隔制御設定の解除後に同様に保守点検者が容易にエレベータの遠隔制御再設定を行うことができる。
【００３６】
即ち、実施例１に係るエレベータ遠隔制御設定解除システムでは、エレベータの保守点検時や回線不通時に保守点検者がインターホン親機２１におけるインターホン子機６〜６Ｎに対する子機呼び選択釦２３〜２３Ｎを所定の回数押下することで、容易にエレベータの遠隔制御設定の解除や再登録を行うことができる。また、インターホン親機２１によるエレベータの遠隔制御設定の解除や再登録時にその状況を監視センタ５１に通報することで監視センタ５１側の管理者が現場設定状況を容易に確認することが可能である。更に、インターホン親機２１によるエレベータの遠隔制御設定の解除や再登録時にインターホン親機２１に対して解除や再登録を行った旨のメッセージを音声信号により出力して発声するようにしているので、保守点検者が設定内容を容易に確認することができる。加えて、インターホン親機２１の子機呼び選択釦２３、２３Ｎを押下操作することでエレベータの遠隔制御設定の解除や再登録を行うことができるため、エレベータが数多く設置されて点在するような大規模団地等では、エレベータの設置場所に出向くことなく、インターホン親機２１が設置されている管理事務所等でエレベータの遠隔制御設定の解除や再登録を実施することが可能になる。
【００３７】
尚、上述した実施例１に係るエレベータ遠隔制御設定解除システムでは、エレベータ監視装置３１の各部における接続構成として、通信線を減らすため、登録手段３３〜３３Ｎが解除手段３４〜３４Ｎ及びエレベータ監視用通信線３６〜３６Ｎを経由して遠隔制御設定記録手段３２の遠隔制御設定のデータを取得する構成を説明したが、装置内に配線スペースに余裕があれば遠隔制御設定記録手段３２に対してデータ伝送専用の通信線を接続して遠隔制御設定記録手段３２に対して直接的に遠隔制御設定のデータを取得したり、記録する構成としても良い。また、解除手段３４〜３４Ｎについても、同様に通信線を減らすため、登録手段３３〜３３Ｎ及びエレベータ監視用通信線３６〜３６Ｎを経由して遠隔制御解除記録手段３７の遠隔制御設定解除のデータを取得する構成を説明したが、ここでも装置内に配線スペースに余裕があれば遠隔制御解除記録手段３７に対してデータ伝送専用の通信線を接続して遠隔制御解除記録手段３７に対して直接的に遠隔制御設定解除のデータを取得したり、記録する構成としても良い。従って、本発明のエレベータ遠隔制御設定解除システムは、図１に開示されたものに限定されない。
【符号の説明】
【００３８】
１〜１Ｎ  昇降路
２〜２Ｎ  乗りかご
３〜３Ｎ  釣り合い重り
４〜４Ｎ  主ロープ
５〜５Ｎ  巻き上げ機
６〜６Ｎ  インターホン子機
７〜７Ｎ  インターホン用通信線
８〜８Ｎ  ドア制御装置
９〜９Ｎ  ドア制御用通信線
１１〜１１Ｎ  エレベータ制御装置
２１  インターホン親機
２２  受話器
２３〜２３Ｎ  子機呼び選択釦
３１  エレベータ監視装置
３２  遠隔制御設定記録手段
３３〜３３Ｎ  登録手段
３４〜３４Ｎ  解除手段
３５〜３５Ｎ  検出手段
３６〜３６Ｎ  エレベータ監視用通信線
３７  遠隔制御解除記録手段
３９  音声出力手段
４０  解除音声出力手段
４１  再登録音声出力手段
４２  音声出力用通信線
５１  監視センタ
５２  遠隔制御設定装置
５３  電話回路
６０  通信手段
【図１】
2014114155.tif 000003
【図２】
2014114155.tif 000004
【図３】
2014114155.tif 000005
【図４】
2014114155.tif 000006